(57)【要約】【課題】ボタンホールに通して開閉可能な縁部を閉止するボタンとしての使用形態と、雌，雄スナップの弾性嵌合により、開閉可能な縁部を閉止するスナップボタンとしての使用形態とが可能で、しかも、ボタン縫付け用ミシンによって衣服に取り付けることができるスナップ機能を備えたボタンを提供する。【解決手段】縫付け用の貫通孔２が形成されたボタン本体３の表面に、スナップ用の嵌合部４を形成する。スナップ用の嵌合部４としては、ボタン本体３の外周部から立ち上がった円筒状壁部３ａの内周面上端側に半径方向内方へ膨出した係合用膨出部５ａを形成した雌型嵌合部６ａである場合と、ボタン本体３の外周部より内側の位置から立ち上がった円筒状壁部３ｂの外周面上端側に半径方向外方へ膨出した係合用膨出部５ｂを形成した雄型嵌合部６ｂである場合がある。【選択図】図１
2015136402.tif 000002
【特許請求の範囲】
【請求項１】
縫付け用の貫通孔が形成されたボタン本体の表面に、スナップ用の嵌合部が形成されて
いることを特徴とするスナップ機能を備えたボタン。
【請求項２】
スナップ用の嵌合部が、ボタン本体の外周部から立ち上がった円筒状壁部の内周面上端
側に半径方向内方へ膨出した係合用膨出部を形成した雌型嵌合部であることを特徴とする
請求項１に記載のスナップ機能を備えたボタン。
【請求項３】
スナップ用の嵌合部が、ボタン本体の外周部より内側の位置から立ち上がった円筒状壁
部の外周面上端側に半径方向外方へ膨出した係合用膨出部を形成した雄型嵌合部であるこ
とを特徴とする請求項１に記載のスナップ機能を備えたボタン。
【請求項４】
ボタン本体の表面に雄型嵌合部の周囲を取り囲む環状溝が形成されていることを特徴と
する請求項３に記載のスナップ機能を備えたボタン。
【発明の詳細な説明】
【技術分野】
【０００１】
本発明は、スナップ機能を備えたボタンに関し、詳しくは、ボタンホールに通して開閉
可能な縁部を閉止するボタンとしての使用形態と、雌，雄スナップの弾性嵌合により、開
閉可能な縁部を閉止するスナップボタンとしての使用形態とが可能なボタンに関する。
【背景技術】
【０００２】
従来の一般的なボタンは、中央部に複数個の縫付け用の貫通孔が形成された円盤状の形
状であり、例えば、衣服における上下に重なり合う開閉可能な縁部のうち、下に重なる縁
部（例えば下前立て）に糸で縫い付け、上に重なる縁部（例えば上前立て）に形成された
ボタンホールに挿通係止させて、上下の縁部を閉止するように構成されており、スナップ
ボタンとしての機能を有していない。
【０００３】
雌スナップと雄スナップとで構成される従来のスナップボタンは、ボタンホールに挿通
係止させて、上下の縁部を閉止する一般的なボタンとしての機能を有していない。即ち、
特許文献１〜４に見られるように、雌スナップは、衣服等の縁部に刺し通す先鋭なカシメ
用の突起が円盤状頭部の裏面中央部に突設された合成樹脂製のリベット部材と、基板の表
面に円筒状で且つ先端側内周面に係合用膨出部を形成した雌型嵌合部が形成され、当該雌
型嵌合部内の基板中央に前記縁部に刺し通した突起を貫通させてカシメ止めするための貫
通孔が形成された雌型の嵌合用部材（ソケット）との二部品で構成されている。そして、
縁部に取り付けられた状態では、雌型の嵌合用部材（ソケット）とリベット部材とで縁部
の表裏両面を強く挟み付けており、ボタンホールに通して縁部を閉止する一般的なボタン
としての機能を発揮し得ない形状となっている。
【０００４】
また、雄スナップは、衣服等の縁部に刺し通す先鋭なカシメ用の突起が円盤状頭部の裏
面中央部に突設された合成樹脂製のリベット部材と、基板の表面に円筒状で且つ先端側外
周面に係合用膨出部を形成した雄型嵌合部が形成され、当該雄型嵌合部内の基板中央に前
記縁部に刺し通した突起を貫通させてカシメ止めするための貫通孔が形成された雄型の嵌
合用部材（スタッド）との二部品で構成されており、縁部に取り付けられた状態では、雄
型の嵌合用部材（スタッド）とリベット部材とで縁部の表裏両面を強く挟み付けており、
一般的なボタンとしての機能を発揮し得ない形状となっている点では、雌スナップと同じ
である。
【０００５】
上記のとおり、ボタンとスナップボタンでは、各々、機能が異なり、衣服に対する取付
け手段も異なるので、例えば、衣服にボタンをミシンで縫い付けていた衣服メーカーが、
スナップボタンを採用する場合、ボタン縫付け用ミシンとは別に、リベット部材による取
付けを行うスナップボタン取付け機も必要となり、経済的な負担が大きかった。
【先行技術文献】
【特許文献】
【０００６】
【特許文献１】特許第３９０５６３７号公報
【特許文献２】特許第４１２１９３４号公報
【特許文献３】特許第４１２１９８０号公報
【特許文献４】特許第４７２５７３８号公報
【発明の概要】
【発明が解決しようとする課題】
【０００７】
本発明は、上記の現状に鑑み、ボタンホールに通して開閉可能な縁部を閉止するボタン
としての使用形態と、雌，雄スナップの弾性嵌合により、開閉可能な縁部を閉止するスナ
ップボタンとしての使用形態とが可能で、しかも、ボタン縫付け用ミシンによって衣服に
取り付けることができるスナップ機能を備えたボタンを提供することにある。
【課題を解決するための手段】
【０００８】
上記の目的を達成するために、本発明が講じた技術的手段は、次の通りである。即ち、
請求項１に係る発明のスナップ機能を備えたボタンは、縫付け用の貫通孔が形成されたボ
タン本体の表面に、スナップ用の嵌合部が形成されていることを特徴としている。
【０００９】
請求項２に係る発明は、請求項１に記載のスナップ機能を備えたボタンであって、スナ
ップ用の嵌合部が、ボタン本体の外周部から立ち上がった円筒状壁部の内周面上端側に半
径方向内方へ膨出した係合用膨出部を形成した雌型嵌合部であることを特徴としている。
【００１０】
請求項３に係る発明は、請求項１に記載のスナップ機能を備えたボタンであって、スナ
ップ用の嵌合部が、ボタン本体の外周部より内側の位置から立ち上がった円筒状壁部の外
周面上端側に半径方向外方へ膨出した係合用膨出部を形成した雄型嵌合部であることを特
徴としている。
【００１１】
尚、請求項２、３において、係合用膨出部としては、周方向に連続したものであっても
よく、周方向複数個に分割されたものであってもよい。
【００１２】
請求項４に係る発明は、請求項３に記載のスナップ機能を備えたボタンであって、ボタ
ン本体の表面に雄型嵌合部の周囲を取り囲む環状溝が形成されていることを特徴としてい
る。
【発明の効果】
【００１３】
請求項１に係る発明のスナップ機能を備えたボタンは、ボタン本体に形成された貫通孔
に糸を通して衣服の縁部に縫い付けることにより、上に重なる縁部に形成されたボタンホ
ールに挿通係止させる一般的なボタンとして使用することが可能である。
【００１４】
殊に、ボタン本体の表面にスナップ用の嵌合部が形成されているので、衣服の縁部に糸
で縫い付けることにより、雌スナップ又は雄スナップを構成することができる。従って、
上記の縁部と重なる縁部に、別のスナップ機能を備えたボタンを縫い付けて雄スナップ又
は雌スナップを構成し、雌，雄スナップの弾性嵌合により縁部を閉止するスナップボタン
として使用することが可能である。
【００１５】
また、スナップボタンとして使用する場合、衣服に対する取付け手段が糸による縫付け
方式であり、従来のスナップボタンにおける２個のリベット部材が省略されるから、スナ
ップボタン全体としての厚みを薄くすることができる。
【００１６】
しかも、スナップボタンとして使用する場合も、衣服に対する取付け手段が糸による縫
付けであるから。例えば、衣服にボタンをミシンで縫い付けていた衣料メーカーが、スナ
ップボタンを採用する場合、ボタン縫付け用ミシンとは別に、リベット部材による取付け
を行うスナップボタン取付け機を備える必要がなく、経済的な負担が小さくて済み、従来
のスナップボタンで必要とされたリベット部材が省略されることと相まって、非常に経済
的である。
【００１７】
尚、請求項２に係る発明のスナップ機能を備えたボタンによれば、縫付け方式による雌
スナップが得られ、請求項３に掛かる発明のスナップ機能を備えたボタンによれば、縫付
け方式による雄スナップが得られることになる。
【００１８】
請求項４に係る発明によれば、ボタン本体の表面に雄型嵌合部の周囲を取り囲む環状溝
を形成したので、スナップボタンとして使用する際、この環状溝に雌型嵌合部が嵌まり込
むように構成することにより、雌，雄スナップの弾性嵌合状態において相対向するボタン
本体間の間隔を縮小し、スナップボタン全体としての厚みを一層薄くすることができる。
【図面の簡単な説明】
【００１９】
【図１】本発明に係るスナップ機能を備えたボタンの一例を示す斜視図である。
【図２】上記ボタンの平面図である。
【図３】図２のＡ−Ａ断面図である。
【図４】本発明の他の実施形態を示すスナップ機能を備えたボタンの斜視図である。
【図５】上記ボタンの平面図である。
【図６】図５のＢ−Ｂ断面図である。
【図７】一般的なボタンとして使用した状態を説明する斜視図である。
【図８】スナップボタンとして使用した状態を説明する断面図である。
【図９】本発明の他の実施形態を示すスナップ機能を備えたボタンの平面図である。
【図１０】図９のＣ−Ｃ断面図である。
【発明を実施するための形態】
【００２０】
図１〜図３において、１Ａは本発明に係るスナップ機能を備えたボタンの一例を示す。
このボタン１Ａは、合成樹脂の射出成型品であり、中央部に複数個（図面上４個であるが
必ずしも４個に限定されない）の縫付け用の貫通孔２が形成された円盤状のボタン本体３
の表面に、スナップ用の嵌合部４を形成したものである。この実施形態においは、スナッ
プ用の嵌合部４が、ボタン本体３の外周部から立ち上がった円筒状壁部３ａの内周面上端
側に半径方向内方へ膨出した係合用膨出部５ａを形成した雌型嵌合部６ａに構成されてい
る。円筒状壁部３ａの外周面上端側は、図１、図３に示すように、上狭まりの斜面に形成
されている。これは、後述するスナップボタンとして使用する際、斜面のガイド作用によ
り雄スナップへの嵌め込み操作を円滑に行えるように特に工夫したものであるが、斜面を
形成せずに実施することも可能である。
【００２１】
図４〜図６において、１Ｂは本発明に係るスナップ機能を備えたボタンの他の一例を示
す。このボタン１Ｂは、ボタン本体３の表面に形成されたスナップ用の嵌合部４が、ボタ
ン本体３の外周部より内側の位置から立ち上がった円筒状壁部３ｂの外周面上端側に半径
方向外方へ膨出した係合用膨出部５ｂを形成した雄型嵌合部６ｂに構成されている点に特
徴がある。この実施形態においは、ボタン本体３の表面に雄型嵌合部６ｂの周囲を取り囲
む環状溝７が形成されている。これは、後述するスナップボタンとして使用する際、雌ス
ナップの円筒状壁部３ａが環状溝７に嵌まり込むことによって、スナップボタン全体とし
ての厚みを薄くできるように特に工夫したものであるが、環状溝７を形成せずに実施する
ことも可能である。
【００２２】
尚、図１〜図６に示した実施形態においては、何れも、係合用膨出部５ａ、５ｂが周方
向複数個に分割されているが、係合用膨出部５ａ、５ｂとしては、周方向に連続し円形で
あってもよい。
【００２３】
上記の構成によれば、図７の（Ａ）、（Ｂ）に示すように、ボタン本体３に形成された
貫通孔２に糸８を通して衣服の縁部に縫い付けることにより、上に重なる縁部に形成され
たボタンホール９に挿通係止させる一般的なボタンとして使用することが可能である。図
７中の１０はボタンホール９の縁部を仕上げるボタンホールスレッドである。
【００２４】
また、ボタン本体３の表面にスナップ用の嵌合部４が形成されているので、図８に示す
ように、衣服の縁部に糸８で縫い付けることにより、雌スナップＡ又は雄スナップＢを構
成することができる。即ち、図１〜図３に示したボタン１Ａを上下に重なる縁部の一方に
縫い付けて雌スナップＡを構成し、他方の縁部に、図４〜図６に示したボタン１Ｂを縫い
付けて雄スナップＢを構成し、雌，雄スナップＡ，Ｂの弾性嵌合により縁部を閉止するス
ナップボタンとして使用することが可能である。
【００２５】
スナップボタンとして使用する場合、衣服に対する取付け手段が糸８による縫付け方式
であり、従来のスナップボタンにおける２個のリベット部材が省略されるから、スナップ
ボタン全体としての厚みを薄くすることができる。殊に、雄スナップＢとなるボタン本体
３の表面に形成した環状溝７に雌スナップＡの円筒状壁部３ａが嵌まり込むようにすれば
スナップボタン全体としての厚みを一層薄くすることができる。
【００２６】
また、上述したとおり、スナップボタンとして使用する場合も、衣服に対する取付け手
段が糸による縫付けであるから。例えば、衣服にボタンをミシンで縫い付けていた衣料メ
ーカーが、スナップボタンを採用する場合、ボタン縫付け用ミシンとは別に、リベット部
材による取付けを行うスナップボタン取付け機を備える必要がなく、経済的な負担が小さ
くて済み、従来のスナップボタンで必要とされたリベット部材が省略されることと相まっ
て、非常に経済的である。
【００２７】
図９、図１０は本発明の他の実施形態を示す。この実施形態は、上述したボタン１Ｂに
おける係合用膨出部５ａの外周に幅狭の環状溝１１を形成して、係合用膨出部５ａが半径
方向に弾性変形し易いようにすると共に、環状溝１１より内側の頂部（係合用膨出部５ａ
の上端）を環状溝１１より外側の円筒状壁部３ａの頂部より僅かに低くすることによって
、衣服のアイロンがけを行う際、高温のアイロン底面が係合用膨出部５ａに圧接すること
による係合用膨出部５ａの変形破損を防止するように構成した点に特徴がある。その他の
構成や作用は、図１〜図３の実施形態と同じであるため、説明を省略する。  
【符号の説明】
【００２８】
Ａ  雌スナップ
Ｂ  雄スナップ
１Ａ、１Ｂ  ボタン本体
２  貫通孔
３  ボタン本体
３ａ、３ｂ  円筒状壁部
４  スナップ用の嵌合部
５ａ、５ｂ  係合用膨出部
６ａ  雌型嵌合部
６ｂ  雄型嵌合部
７  環状溝
８  糸
９  ボタンホール
１０  ボタンホールスレッド
１１  環状溝
【図１】
2015136402.tif 000003
【図２】
2015136402.tif 000004
【図３】
2015136402.tif 000005
【図４】
2015136402.tif 000006
【図５】
2015136402.tif 000007
【図６】
2015136402.tif 000008
【図７】
2015136402.tif 000009
【図８】
2015136402.tif 000010
【図９】
2015136402.tif 000011
【図１０】
2015136402.tif 000012